(57)【要約】【課題】配置自由度を確保しつつ、高輝度で発光するリング状発光体を備えた照明装置を提供する。【解決手段】発光ダイオード１（光源）と、リング状発光体２とを備えた照明装置であって、リング状発光体２は径方向の断面形状が上面３側が半円形からなるとともに、下面４側に発光ダイオード１からリング状発光体２内に入射した光を上面３側に反射させる断面形状が三角形の反射面５を有する。また、リング状発光体２の外周側にリング状発光体２内に発光ダイオード１からの光を入射させる受光部６を設けた。【選択図】図１
2008277067.tif 000002
【特許請求の範囲】
【請求項１】
光源と、リング状発光体とを備えた照明装置であって、前記リング状発光体は径方向の断面形状が半円形または半楕円形からなるとともに、下面側に前記光源から前記リング状発光体内に入射した光を上面側に反射させる反射面を有していることを特徴とする照明装置。
【請求項２】
光源と、リング状発光体とを備えた照明装置であって、前記リング状発光体は径方向の断面形状が円形または楕円形からなるとともに、下面側に前記光源から前記リング状発光体内に入射した光を上面側に反射させる反射面を有していることを特徴とする照明装置。
【請求項３】
前記リング状発光体の外周側に前記リング状発光体内に前記光源からの光を入射させる受光部を設けたことを特徴とする請求項１または請求項２に記載の照明装置。
【請求項４】
前記リング状発光体の下面側に前記リング状発光体内に前記光源からの光を入射させる受光部を設けたことを特徴とする請求項１または請求項２に記載の照明装置。
【請求項５】
前記反射面を前記リング状発光体の円周方向に沿って連続的に設けたことを特徴とする請求項１から請求項４の何れかに記載の照明装置。
【請求項６】
前記反射面を前記リング状発光体の円周方向に沿って間隔をおいて設けたことを特徴とする請求項１から請求項４の何れかに記載の照明装置。
【発明の詳細な説明】
【技術分野】
【０００１】
本発明は、リング状発光体を備えた照明装置に関するものである。
【背景技術】
【０００２】
光源からの光を入射してリング状に発光する発光体として、例えば下記特許文献１がある。特許文献１に於けるリング状発光体１は、リング状導光体１１の上面１３または下面１２の一部に連続して接続されるとともに、中心軸が鋭角をなして交差する導光路１８を備えているものであり、この様なリング状発光体１は、例えば車両用の計器照明や時計照明などに利用されるというものである。
【特許文献１】特開２００６−１００００９号公報
【発明の開示】
【発明が解決しようとする課題】
【０００３】
しかしながら、特許文献１に於けるリング状発光体１は、導光路１８がリング状導光体１１の上面１３または下面１２に接続されていることで、導光路１８によって外周面の連続性が遮断されることが無く、均一な反射が行われて良好な導光作用が得られるが、リング状導光体１１の外周側に斜めに大きく突出した導光路１８を設ける必要があり、この導光路１８を設けることによってリング状発光体１を配置する上で制約を受ける虞がある。
【０００４】
また、反射面１５がリング状導光体１１の円周方向に沿った内周側に設けてある。即ち、光がリング状導光体１１内を進む方向にほぼ沿った反射面１５（傾斜面）となっている。従って、反射面１５で反射されて上面１３側に向かう光量に限りがあり、発光面（上面１３）が高輝度で発光され難い。
【０００５】
本発明はこの様な点に鑑みなされたもので、配置自由度を確保しつつ、高輝度で発光するリング状発光体を備えた照明装置を提供することを目的とする。
【課題を解決するための手段】
【０００６】
本発明は前記目的を達成するため、光源と、リング状発光体とを備えた照明装置であって、前記リング状発光体は径方向の断面形状が半円形または半楕円形からなるとともに、下面側に前記光源から前記リング状発光体内に入射した光を上面側に反射させる反射面を有しているものである。
【０００７】
また、光源と、リング状発光体とを備えた照明装置であって、前記リング状発光体は径方向の断面形状が円形または楕円形からなるとともに、下面側に前記光源から前記リング状発光体内に入射した光を上面側に反射させる反射面を有しているものである。
【０００８】
また、前記リング状発光体の外周側に前記リング状発光体内に前記光源からの光を入射させる受光部を設けたものである。
【０００９】
また、前記リング状発光体の下面側に前記リング状発光体内に前記光源からの光を入射させる受光部を設けたものである。
【００１０】
また、前記反射面を前記リング状発光体の円周方向に沿って連続的に設けたものである。
【００１１】
また、前記反射面を前記リング状発光体の円周方向に沿って間隔をおいて設けたものである。
【発明の効果】
【００１２】
配置自由度を確保しつつ、高輝度で発光するリング状発光体を備えた照明装置を得ることができる。
【発明を実施するための最良の形態】
【００１３】
本発明を各実施形態に基づいて説明する。図１は第１実施形態を示す照明装置の側面図である。図２は同照明装置に用いられるリング状発光体の正面図であり、図３はリング状発光体の裏面図である。図４はリング状発光体の部分断面図（図２に於けるＡ−Ａ断面）であり、図５はリング状発光体の受光部を示す部分断面図（図２に於けるＢ−Ｂ断面）である。
【００１４】
照明装置は、光源としての例えば発光ダイオード１と、この発光ダイオード１上に配置されるリング状発光体２を備えている。発光ダイオード１は、図示しないが硬質な回路基板に実装されており、リング状発光体２に向けて光を放つように構成されている。
【００１５】
リング状発光体２は、光透過性である例えば無色透明な材料からなるポリカーボネート樹脂やアクリル樹脂などからなる。リング状発光体２は、径方向の断面形状が図４に示す様に上面３（観察者側を向く面）側が半円形となっており、下面４（観察者とは反対側を向く面）側には径方向とは直交する方向の断面形状が三角形の反射面５が円周方向に沿って連続的に無数に形成してある。また、本実施形態に於けるリング状発光体２には、発光ダイオード１からの光を効率良くリング状発光体２内に導き入れる（入射させる）受光部６が設けてある。受光部６は、図５に示す様にリング状発光体２の外周側に設けてあり、入射反射面７を有している。なお、図１に於いて、反射面５の形状図示は省略してある。
【００１６】
この様に構成された照明装置に於いて、例えば白色で発光する発光ダイオード１が点灯すると、発光ダイオード１からの光は受光部６に入射する。受光部６には入射反射面７が設けてあるため、この入射反射面７で反射した光はリング状発光体２内を円周方向に沿って進む（導光する）ようになる。その際、リング状発光体２の下面４側に光の進む方向とほぼ直交する方向に反射面５が形成してあるために、リング状発光体２内を進む光の一部はこの反射面５に反射して上面３側に向かう。従って、リング状発光体２の半円形の上面３を高い輝度で発光させることができる。
【００１７】
また、断面形状が半円形となっているために、正面から見た際、反射面５がリング状発光体２の幅方向に拡大されて視認される。従って、反射面５は小さくとも良く、発光ダイオード１から入射した光をリング状発光体２の中で効率良く伝達することが可能となる。また、従来の様に外周側から斜めに大きく突出した導光路をリング状発光体２に設けていないため、リング状発光体２を配置する上で配置自由度が増す。
【００１８】
また、リング状発光体２の下面４側に反射面５を連続的に設けることによって、上面３全面をほぼ均一に高い輝度で発光させることができる。また、受光部６を設けることによってリング状発光体２内に光を積極的に入射させることができ、発光輝度を高めることが可能となる。なお、受光部６は必ずしも設ける必要はないが、受光部６を設けることによってリング状発光体２の発光輝度をより高めることができる。
【００１９】
本発明の第２実施形態について説明する。図６は第２実施形態を示す照明装置の側面図である。図７は同照明装置に用いられるリング状発光体の正面図であり、図８はリング状発光体の裏面図である。図９はリング状発光体の部分断面図（図７に於けるＣ−Ｃ断面）であり、図１０はリング状発光体の受光部を示す部分断面図（図７に於けるＤ−Ｄ断面）である。なお、前記第１実施形態と同一もしくは相当箇所については同一符号を付して説明する。
【００２０】
照明装置は、光源としての例えば発光ダイオード１と、この発光ダイオード１上に配置されるリング状発光体２を備えている。発光ダイオード１は、図示しないが硬質な回路基板に実装されており、リング状発光体２に向けて光を放つように構成されている。
【００２１】
リング状発光体２は、光透過性である例えば無色透明な材料からなるポリカーボネート樹脂やアクリル樹脂などからなる。リング状発光体２は、径方向の断面形状が図９に示す様に円形となっており、下面４側には径方向とは直交する方向の断面形状が三角形の反射面５が円周方向に沿って所定の間隔をおいて形成してある（図８参照）。また、本実施形態に於けるリング状発光体２には、発光ダイオード１からの光を効率良くリング状発光体２内に導き入れる（入射させる）受光部６が設けてある。受光部６は、図１０に示す様にリング状発光体２の下面４側に設けてあり、入射反射面７を有している。なお、図６に於いて、反射面５の形状図示は省略してある。
【００２２】
この様に構成された照明装置に於いて、例えば白色で発光する発光ダイオード１が点灯すると、発光ダイオード１からの光は受光部６に入射する。受光部６には入射反射面７が設けてあるため、この入射反射面７で反射した光はリング状発光体２内を円周方向に沿って進む（導光する）ようになる。その際、リング状発光体２の下面４側に光の進む方向とほぼ直交する方向に反射面５が形成してあるために、リング状発光体２内を進む光の一部はこの反射面５に反射して上面３側に向かう。従って、リング状発光体２の円形の上面３（円の半分より上側）を高い輝度で発光させることができる。
【００２３】
また、断面形状が円形となっているために、正面から見た際、反射面５がリング状発光体２の幅方向に拡大されて視認される。従って、反射面５は小さくとも良く、発光ダイオード１から入射した光をリング状発光体２の中で効率良く伝達することが可能となる。また、従来の様に外周側から斜めに大きく突出した導光路をリング状発光体２に設けていないため、リング状発光体２を配置する上で配置自由度が増す。
【００２４】
また、リング状発光体２の下面４側に反射面５を所定の間隔をおいて設けることによって、リング状発光体２の上面３を所定間隔で発光させることができる。この際、反射面５に対応した上面３箇所が他の箇所（反射面５を設けない箇所に対応した箇所）に比べて特に高輝度で発光する。反射面５の間隔は任意であり、発光させたい上面３箇所に対応して設ければ良い。また、受光部６を設けることによってリング状発光体２内に光を積極的に入射させることができ、発光輝度を高めることが可能となる。なお、受光部６は必ずしも設ける必要はないが、受光部６を設けることによってリング状発光体２の発光輝度をより高めることができる。
【００２５】
なお、本発明は前記各実施形態に限定されるものではなく、第1実施形態と第２実施形態との組み合わせであっても良い。即ち、断面形状が半円形のリング状発光体の下面に、第２実施形態の様な受光部や間隔をおいた反射面を設けても良く、断面形状が円形のリング状発光体の下面に、第１実施形態の様な受光部や連続した反射面を設けても良い。
【００２６】
また、前記第１実施形態に於いてはリング状発光体２の断面を半円形とし、前記第２実施形態に於いてはリング状発光体２の断面を円形としたが、半円形（または円形）に近い形状あるいは半楕円形（または楕円形）であっても良く、同様な効果が得られる。
【００２７】
また、反射面５の形状は三角形に限定するものではなく、円錐形の反射面を円周方向に沿って連続的あるいは間隔をおいて設けるなど、リング状発光体２内に入射した光が上面３側に反射されるようになっていれば形状は任意である。また、発光ダイオード１をリング状発光体２の外周側に配置して、光が外周側からリング状発光体２内に入るようにしても良い。
【００２８】
また、リング状発光体は無色透明材に限定するものではなく、透過率の高い着色透明材であっても良い。或いは、リング状発光体の上面側に光透過性の着色層を印刷，塗装，転写などによって設けても良い。この様にすることによって、発光ダイオードの発光色との組み合わせによって様々な発光色を持ったリング状発光体を提供できる。
【図面の簡単な説明】
【００２９】
【図１】本発明の第１実施形態を示す照明装置の側面図。
【図２】同照明装置に用いられるリング状発光体の正面図。
【図３】同リング状発光体の裏面図。
【図４】同リング状発光体の部分断面図（図２に於けるＡ−Ａ断面）。
【図５】同リング状発光体の受光部を示す部分断面図（図２に於けるＢ−Ｂ断面）。
【図６】本発明の第２実施形態を示す照明装置の側面図。
【図７】同照明装置に用いられるリング状発光体の正面図。
【図８】同リング状発光体の裏面図。
【図９】同リング状発光体の部分断面図（図７に於けるＣ−Ｃ断面）。
【図１０】同リング状発光体の受光部を示す部分断面図（図７に於けるＤ−Ｄ断面）。
【符号の説明】
【００３０】
１  発光ダイオード（光源）
２  リング状発光体
３  上面
４  下面
５  反射面
６  受光部
【図１】
2008277067.tif 000003
【図２】
2008277067.tif 000004
【図３】
2008277067.tif 000005
【図４】
2008277067.tif 000006
【図５】
2008277067.tif 000007
【図６】
2008277067.tif 000008
【図７】
2008277067.tif 000009
【図８】
2008277067.tif 000010
【図９】
2008277067.tif 000011
【図１０】
2008277067.tif 000012